(57)【特許請求の範囲】
【請求項１】
ロール紙である連続紙を収納保持する用紙収納部に収納保持された前記連続紙を案内し当該連続紙の巻き癖によってカールした内面側が下方を向くように排出する案内経路と、
前記案内経路を案内される連続紙に所定事項を印字する印字部と、
前記案内経路の前記印字部よりも下流側に配置され、前記案内経路を挟んで配置された固定刃と可動刃との噛合いによって連続紙を切断するカッタ装置と、
前記カッタ装置による連続紙の切断位置よりも前記案内経路の下流側で僅かな隙間を開けて連続紙を案内する狭小案内経路によって形成された強制排出部と、
を備え、
前記狭小案内経路は、前記案内経路に残留する前記カッタ装置に切断された印字発行後の用紙が新たに排出搬送される連続紙に摩擦追従して排出されるように前記残留する用紙と前記排出搬送される連続紙とを接触させる、プリンタ。
【請求項２】
前記狭小案内経路は、この狭小案内経路よりも下方に配置された前記固定刃と前記可動刃とのいずれか一方に形成された案内面と、この案内面に近接して対向する規制部材との間に形成されている請求項１記載のプリンタ。
【請求項３】
前記案内面と前記規制部材との間の隙間は、０．３ｍｍ〜０．９ｍｍである請求項２記載のプリンタ。
【請求項４】
前記印字部の一部を構成するプラテンと、前記可動刃とを有する下部ユニットと、
前記下部ユニットに回動自在に取り付けられ、回動自由端側に位置させて、前記印字部の一部を構成する印字ヘッドと、前記固定刃と、前記規制部材とを有する上部ユニットと、
を具備する請求項２又は３記載のプリンタ。
【請求項５】
前記規制部材は、前記下部ユニットに対して前記上部ユニットが回動開放された状態で前記固定刃を覆う保護位置と前記下部ユニットに対して前記上部ユニットが閉じられた状態で前記固定刃を開放する開放位置との間で回動自在に取り付けられたカッタカバーによって形成され、
前記カッタカバーを前記保護位置に付勢する付勢部材と、
前記下部ユニットに対して前記上部ユニットが閉じられるに従い前記カッタカバーをカム作用によって前記開放位置に回動させるカム機構と、
を具備する請求項４記載のプリンタ。
【請求項６】
前記下部ユニットは、前記用紙収納部を具備する請求項４又は５記載のプリンタ。
【発明の詳細な説明】
【０００１】
【発明の属する技術分野】
本発明は、連続紙に印字して印字後の連続紙を切断して発行するプリンタに関する。
【０００２】
【従来の技術】
従来、連続紙に印字して印字後の連続紙を切断して発行するプリンタとして、例えば、レシート発行プリンタやラベルプリンタ等が実用化されている。これらのレシート発行プリンタやラベルプリンタには、用紙としてロール紙のような連続紙が用いられるのが一般的である。このため、印字済みの連続紙をカッタによって切断することで、レシートや台紙付きラベルが発行されることになる。
【０００３】
ここで、連続紙を切断するカッタとしては、ティアバーのような人力によって連続紙を切断する構造のものが用いられることもあるが、ある程度以上のグレードの機器では、連続紙を自動的に切断するオートカッタが用いられるのが一般的である。図９は、レシート発行プリンタに用いられるオートカッタの一例として、固定刃と可動刃とによって連続紙を切断する構造のカッタ装置による連続紙の切断過程を示す概略側面図である。
【０００４】
図９（ａ）及び（ｂ）に示すように、案内経路１０１を案内搬送される印字済みの連続紙１０２は、可動刃１０３がその支軸１０４を中心に回動し、切断位置ＣＰで固定刃１０５と噛合うことで切断される。この際、可動刃１０３の回動に従い、切断位置ＣＰでの可動刃１０３と固定刃１０５との噛合い位置が徐々に移動し、これによって連続紙１０２が切断されるようになっている。つまり、可動刃１０３と固定刃１０５との噛合いによる連続紙１０２の切断は、鋏による用紙の切断原理を利用している。
【０００５】
そして、図９（ｂ）及び（ｃ）に示すように、切断された連続紙１０２は、レシート１０６として発行される。
【０００６】
【発明が解決しようとする課題】
連続紙として用いられるロール紙は、その巻き癖によってカールしてしまう。このため、プリンタから発行されるレシートや台紙付きラベルにもカールがついている。このカールの方向は、プリンタ内でのロール紙の引き出し構造によって異なる。つまり、ロール紙を外巻き用紙として用いる場合には、図９（ａ）及び（ｂ）に例示するように、カールした内面側が下方を向くようにレシート１０６が発行され、ロール紙を内巻き用紙として用いる場合にはその逆となる。
【０００７】
ここで、図９（ａ）及び（ｂ）に例示するように、カールした内面側が下方を向くようにレシート１０６が発行される場合、発行されたレシート１０６の長さによっては、再度、その後端部１０６ａが案内経路１０１に逆送し、可動刃１０３と固定刃１０５との噛合い部分である切断位置ＣＰよりも案内経路１０１の上流側に位置付けられてしまう場合がある。これは、レシート発行プリンタの設置面、あるいは、レシート発行プリンタが電子式キャッシュレジスタやＰＯＳ端末に組み込まれる場合にはそれらの機器のフロントパネル等に、カールしたレシート１０６の先端部１０６ｂが当接してしまう場合があり、この場合には、レシート１０６の腰の強さによってその後端部１０６ａが案内経路１０１に逆送してしまうことがあるからである。
【０００８】
こうして、一旦発行されたレシート１０６が案内経路１０１に逆送し、その後端部１０６ａが切断位置ＣＰよりも案内経路１０１の上流側に位置付けられた場合には、後続する印字済みの連続紙１０２に対する切断動作が行われると、既に発行されているレシート１０６の後部が２度切りされて切り屑が発生したり、場合によっては用紙ジャムが発生したりしてしまうという問題がある。
【０００９】
以上、レシート発行プリンタでのレシート発行を例に挙げて説明したが、ロール紙に印字して印字後のロール紙を切断して発行するようなプリンタ、例えばラベルプリンタでの台紙付きラベルの発行の場合にも、同様の問題が生ずる。
【００１０】
本発明の目的は、一旦発行された用紙が案内経路に残留し続けることを防止することである。
【００１１】
【課題を解決するための手段】
【００１３】
請求項１記載のプリンタの発明は、ロール紙である連続紙を収納保持する用紙収納部に収納保持された前記連続紙を案内し当該連続紙の巻き癖によってカールした内面側が下方を向くように排出する案内経路と、前記案内経路を案内される連続紙に所定事項を印字する印字部と、前記案内経路の前記印字部よりも下流側に配置され、前記案内経路を挟んで配置された固定刃と可動刃との噛合いによって連続紙を切断するカッタ装置と、前記カッタ装置による連続紙の切断位置よりも前記案内経路の下流側で僅かな隙間を開けて連続紙を案内する狭小案内経路によって形成された強制排出部と、を備え、前記狭小案内経路は、前記案内経路に残留する前記カッタ装置に切断された印字発行後の用紙が新たに排出搬送される連続紙に摩擦追従して排出されるように前記残留する用紙と前記排出搬送される連続紙とを接触させる。
【００１４】
したがって、強制排出部によって残留する用紙と排出搬送される連続紙とが接触し、これにより、案内経路に残留する用紙は、新たに排出搬送される連続紙に摩擦追従して排出されることから、一旦発行された用紙が案内経路に残留し続けることが防止される。
【００１７】
請求項２記載の発明は、請求項１記載のプリンタにおいて、前記狭小案内経路は、この狭小案内経路よりも下方に配置された前記固定刃と前記可動刃とのいずれか一方に形成された案内面と、この案内面に近接して対向する規制部材との間に形成されている。
【００１８】
つまり、固定刃と可動刃とのいずれか一方の面を案内面として利用し、これに規制部材を対向配置することで、狭小案内経路が形成される。そこで、強制排出部によって残留する用紙が案内面に接触し、排出搬送される連続紙が規制部材に接触し、この状態で連続紙が排出搬送されることで、案内経路に残留する用紙が新たに排出搬送される連続紙に摩擦追従して排出される。
【００１９】
請求項３記載の発明は、請求項２記載のプリンタにおいて、前記案内面と前記規制部材との間の隙間は、０．３ｍｍ〜０．９ｍｍである。
【００２０】
この程度の隙間であれば、一般的な厚さの連続紙を使用した場合に、残留する用紙と排出搬送される連続紙との接触により、案内経路に残留する用紙を新たに排出搬送される連続紙に摩擦追従させることが可能となる。
【００２１】
請求項４記載の発明は、請求項２又は３記載のプリンタにおいて、前記印字部の一部を構成するプラテンと、前記可動刃とを有する下部ユニットと、前記下部ユニットに回動自在に取り付けられ、回動自由端側に位置させて、前記印字部の一部を構成する印字ヘッドと、前記固定刃と、前記規制部材とを有する上部ユニットと、を具備する。
【００２２】
したがって、下部ユニットに対して上部ユニットを回動させて開放することで案内経路が開放される。
【００２３】
請求項５記載の発明は、請求項４記載のプリンタにおいて、前記規制部材は、前記下部ユニットに対して前記上部ユニットが回動開放された状態で前記固定刃を覆う保護位置と前記下部ユニットに対して前記上部ユニットが閉じられた状態で前記固定刃を開放する開放位置との間で回動自在に取り付けられたカッタカバーによって形成され、前記カッタカバーを前記保護位置に付勢する付勢部材と、前記下部ユニットに対して前記上部ユニットが閉じられるに従い前記カッタカバーをカム作用によって前記開放位置に回動させるカム機構と、を具備する。
【００２４】
したがって、下部ユニットに対して上部ユニットを回動させて開放した場合、カッタカバーは付勢部に付勢されて回動し、固定刃を覆う保護位置に位置付けられる。そして、下部ユニットに対して上部ユニットを回動させて閉じるに際し、カム機構によってカッタカバーが回動駆動され、カッタカバーは固定刃に対する可動刃の噛合いを許容する開放位置に位置付けられる。この状態で、カッタカバーは規制部材として作用する。
【００２５】
請求項６記載の発明は、請求項４又は５記載のプリンタにおいて、前記下部ユニットは、前記用紙収納部を具備する。
【００２６】
したがって、下部ユニットに対して上部ユニットを回動させて開放し、用紙収納部に連続紙をセットし案内経路に引き出した状態で上部ユニットを閉じるだけで、連続紙のセット作業が完了する。
【００２７】
【発明の実施の形態】
本発明の実施の一形態を図１ないし図８に基づいて説明する。本実施の形態は、電子式キャッシュレジスタに内蔵されたレシート発行プリンタへの適用例である。
【００２８】
図１は、本発明の実施の一形態を示す電子式キャッシュレジスタの斜視図である。
【００２９】
本実施の形態の電子式キャッシュレジスタ１は、下部にドロワユニット２が組み込まれたハウジング３の上面に操作表示面４が形成されており、この操作表示面４に各種のデバイス等が配置されている。
【００３０】
操作表示面４の前方右側にはキーボード５と図示しないカードリーダ用のカードスキャン溝６とが配置され、前方左側にはコイン紙幣置き７が配置されている。また、操作表示面４の後方右側にはキャッシャ用表示器８が配置され、後方左側にはレシート発行口９が配置されている。キャッシャ用表示器８は、液晶表示パネルによって構成されており、チルト可能自在である。また、レシート発行口９は、操作表示面４の後方左側に配置されたプリンタカバー１０とハウジング３との間に配置されており、このハウジング３にはスキャナ置き１１が配置されている。また、プリンタカバー１０は、ハウジング３に対して着脱自在であり、プリンタカバー１０を開放するとハウジング３に内蔵された後述するレシート発行プリンタ１２を露出させることが可能となっている。
【００３１】
さらに、ハウジング３の背面には、図示しない客用表示器が配置されている。
【００３２】
次いで、レシート発行プリンタ１２について詳細に説明する。
【００３３】
図２は電子式キャッシュレジスタ１に内蔵されるレシート発行プリンタ１２の上部ユニットを開放した状態を示す左方からの斜視図、図３はその右方からの斜視図、図４はその右側面図、図５は上部ユニットを閉じた状態を示す右側面図である。
【００３４】
レシート発行プリンタ１２は、板金状のフレームＦに各種構造物が取り付けられた下部ユニット１３と上部ユニット１４とによって構成されている。下部ユニット１３は、ハウジング３の内部にネジ止め固定され、上部ユニット１４は、下部ユニット１３の後部に支軸１５によって回動自在に取り付けられている。
【００３５】
まず、下部ユニット１３について説明する。下部ユニット１３には、その後方に位置させてロール紙である連続紙１６（図８参照）を収納保持する投げ込み式の用紙収納部１７が設けられ、前方に位置させてプラテン１８が設けられている。このプラテン１８は、下部ユニット１３のフレームＦにプラテン軸１９によって回転自在に取り付けられており、そのプラテン軸１９に対して、図３〜図５に示す動力伝達ギヤ列２０によって伝達される図示しないモータからの駆動力によって回転駆動される。
【００３６】
また、下部ユニット１３には、その最前方に位置させてカッタ装置２１を構成する可動刃２２が設けられている。この可動刃２２は、下部ユニット１３のフレームＦに可動刃軸２３によって回動自在に取り付けられており、カッタ駆動機構２４に駆動されて可動刃軸２３を中心に回動する。カッタ駆動機構２４は、前述した動力伝達ギヤ列２０に図示しないクラッチを介して連結された回転カム２５とこの回転カム２５の回転によって遥動駆動される従動レバー２６とを基本構成としており、この従動レバー２６の遥動先端部分に形成された連結孔２７に可動刃２２の側面に設けられた連結ピン２８が嵌合することによって形成されている。
【００３７】
下部ユニット１３には、さらに、用紙収納部１７とプラテン１８との間に位置させて、連続紙１６の有無を検出する反射式の光センサ２９が設けられている。
【００３８】
次いで、上部ユニット１４について説明する。上部ユニット１４は、その回動自由端側の先端部に位置させてライン型のサーマルヘッドである印字ヘッド３０が取り付けられている。この印字ヘッド３０は、上部ユニット１４のフレームＦにヘッド軸３１によって回動自在に取り付けられており、その図示しない発熱素子列がプラテン１８に接触するように位置付けられている。また、印字ヘッド３０は、その発熱素子列がプラテン１８に当接するように、図示しないスプリングによって付勢されている。ここに、印字ヘッド３０はプラテン１８と共に印字部を構成する。
【００３９】
上部ユニット１４には、下部ユニット１３に設けられた可動刃２２と共にカッタ装置２１を構成する固定刃３２（図８参照）も設けられている。この固定刃３２は、上部ユニット１４のフレームＦに遥動自在に取り付けられており、可動刃２２と噛合いう切断位置ＣＰ（図８参照）の方向に付勢されて取り付けられている。
【００４０】
図６はカッタカバーの斜視図、図７は図６とは別の角度から見たカッタカバーの斜視図である。固定刃３２は、図２〜図５に示すように、上部ユニット１４のフレームＦの先端部にカバー軸３３によって回動自在に取り付けられたカッタカバー３４によって開放自在に覆われている。つまり、このカッタカバー３４は、上部ユニット１４のフレームＦとの間に掛け渡された付勢部材としてのスプリング３５によって付勢され、下部ユニット１３に対して上部ユニット１４が開放された状態では固定刃３２を覆う保護位置ＰＰに位置付けられる。そして、下部ユニット１３に対して上部ユニット１４が閉じられる過程で、可動刃２２を支持する下部ユニット１３のフレームＦと従動レバー２６とに形成された当接辺３６にカッタカバー３４の当接部３７が当接することにより、カッタカバー３４の当接部３７が当接辺３６を摺動しつつカッタカバー３４が固定刃３２を開放して可動刃２２に対面させ得る方向に回動するように各部が構成されている。そこで、図５に示すように、下部ユニット１３に対して上部ユニット１４が完全に閉じられた状態では、カッタカバー３４は固定刃３２を開放する開放位置ＯＰに位置付けられることになる。このように、カッタカバー３４は、その当接部３７と可動刃２２を支持する下部ユニット１３のフレームＦ及び従動レバー２６に形成された当接辺３６とにより形成されたカム機構３８のカム作用によって保護位置ＰＰから開放位置ＯＰに変位する。
【００４１】
さらに、下部ユニット１３と上部ユニット１４との間には、用紙収納部１７から印字ヘッド３０を通過し、カッタ装置２１に達する案内経路３９が形成されている（図２〜図４参照）。この案内経路３９は、用紙収納部１７からプラテン１８と印字ヘッド３０とからなる印字部までの間においては、下部ユニット１３に設けられた下部上流案内板４０と上部ユニット１４に設けられた上部上流案内板４１とによって形成されている。また、案内経路３９は、印字部からカッタ装置２１までの間においては、下部ユニット１３に設けられた下部下流案内板４２と上部ユニット１４に設けられた上部下流案内板４３とによって形成されている。そして、下部上流案内板４０には光センサ２９が取り付けられ、上部上流案内板４１にはその光センサ２９の近傍に位置付けられるフィードローラ４４が回転自在に取り付けられている。こうして形成された案内経路３９は、カッタ装置２１から図１に示すレシート発行口９に連絡している。
【００４２】
図８は、連続紙の切断過程を示すカッタ装置の右側面図である。ここで、カッタ装置２１では、図８に示すように、可動刃２２と固定刃３２との間に案内経路３９が位置付けられ、案内経路３９はその部分から図１に示すレシート発行口９にまで至ることになる。その間の領域において、可動刃２２の上面に形成された案内面４５と、この案内面４５に対面するカッタカバー３４の中央部分の領域に形成された規制部材４６とによって案内経路３９が形成される。そして、この領域における案内経路３９は、その隙間が０．３ｍｍ〜０．９ｍｍに形成された狭小案内経路４７として形成されている。ここで、狭小案内経路４７の０．３ｍｍ〜０．９ｍｍという隙間は、レシート用紙として用いられる一般的な連続紙１６の厚さよりも僅かに広い間隔を持つ隙間である。このため、図８に示すように、狭小案内経路４７に切断後の連続紙１６である用紙としてのレシート４８が残留する場合、この残留するレシート４８に後続して排出搬送される連続紙１６が重なり合う場合、狭小案内経路４７の内部では残留するレシート４８と後続の連続紙１６とが面で接触し、残留するレシート４８が後続の連続紙１６との摩擦によって排出されるという機能を奏することになる。そこで、狭小案内経路４７は、案内経路３９（狭小案内経路４７）に残留するレシート４８が新たに排出搬送される連続紙１６に摩擦追従して排出されるように残留するレシート４８と排出搬送される連続紙１６とを接触させる強制排出部としての機能を奏することになる。
【００４３】
また、図８に示すように、下部ユニット１３における下部下流案内板４２は、可動刃２２に形成された案内面４５よりも僅かに高さが高く形成されている。そして、下部下流案内板４２の可動刃２２に対面する側壁は、案内面４５よりも僅かに高さが高い当接面４２ａとなっている。
【００４４】
加えて、下部ユニット１３には、下部ユニット１３に対して回動する上部ユニット１４に回動抵抗を付与するダンパー機構４９と、下部ユニット１３に対して閉じられた上部ユニット１４をその位置に位置固定するための位置固定機構５０とが設けられている（図２〜図５参照）。
【００４５】
このような構成において、本実施の形態の電子式キャッシュレジスタ１は、レシート発行プリンタ１２によって、一取引毎にその取引明細を記録したレシート４８を印字発行する。つまり、レシート発行プリンタ１２は、印字命令に従い、プラテン１８を回転駆動しつつ印字ヘッド３０によって連続紙１６に取引明細を記録し、一取引分の印字が終了したらカッタ装置２１を駆動して連続紙１６を切断してレシート４８とし、このレシート４８をレシート発行口９より発行する。
【００４６】
ここで、図２〜図５及び図８に基づいて、連続紙１６の切断動作について説明する。まず、印字済み連続紙１６は、案内経路３９を通り、可動刃２２に形成された案内面４５とカッタカバー３４に形成された規制部材４６との間に形成された狭小案内経路に案内されて図１に示すレシート発行口９から排出される。この状態で、連続紙１６の切断命令が入ると、カッタ駆動機構２４の回転カム２５に動力が伝達され、回転カム２５が回転駆動される。これにより、従動レバー２６が遥動して可動刃２２が駆動される。すると、可動刃２２は、図８（ａ）に示す状態から図８（ｂ）に示す状態に回動し、切断位置ＣＰで固定刃３２と噛合う。これにより、案内経路３９に案内されて切断位置ＣＰに位置する連続紙１６が切断され、切断された連続紙１６は取引明細が記録されたレシート４８としてレシート発行口９から発行される。
【００４７】
ここで、レシート４８は、ロール紙である連続紙１６の巻き癖によってカールした状態で発行される（図８参照）。そこで、その長さによっては、レシート４８の先端部が例えばコイン紙幣置き７に当接することがある。この場合、レシート４８は、その先端部がコイン紙幣置き７を摺動してそのままレシート発行口９から完全に発行されることもあるが、場合によっては自らの腰の強さによって案内経路３９を逆送し、レシート発行プリンタ１２の内部に戻ってしまうことがある。この場合、逆送したレシート４８の後端部が下部下流案内板４２の当接面４２ａに当接し、それ以上奥には進入しないようになっている（図８（ｃ）参照）。そして、この状態で後続する連続紙１６に印字動作が行われると、後続する連続紙１６がさらに案内搬送され、狭小案内経路４７に入り込む。すると、逆送して狭小案内経路４７に残留して位置する一旦は発行されたレシート４８が後続して排出搬送される連続紙１６に面接触し、その残留しているレシート４８は排出搬送される連続紙１６に摩擦追従して排出されることになる。これにより、一旦発行されたレシート４８が案内経路３９に残留し続けることを防止することができ、一旦発行されたレシート４８に対する再度の切断動作に伴う切り屑の発生や用紙ジャムの発生等を確実に防止することができる。
【００４８】
そして、レシート４８は排出搬送される連続紙１６に摩擦追従して排出させる狭小案内経路４７は、単に僅かな隙間を開けて連続紙を案内するだけという簡単な構造であり、しかも、その隙間は、可動刃２２とカッタカバー３４という既存の構造物を利用して形成されているので、構造の簡略化や部品コストの低減を図ることができる。
【００４９】
加えて、ロール紙である連続紙１６をセットするには、下部ユニット１３に対して上部ユニット１４を回動開放させ、用紙収納部１７に連続紙１６を投入して幾分か引き出した状態で上部ユニット１４を閉じるだけという簡単な操作が要求されるに過ぎず、よって、連続紙１６のセット作業が容易である。しかも、下部ユニット１３に対して上部ユニット１４を回動開放させた場合には、スプリング３５に付勢されたカッタカバー３４が保護位置ＰＰまで回動して固定刃３２を覆うため、安全性が確保される。
【００５０】
なお、本実施の形態は、レシート発行プリンタへの適用例を例示したが、実施に当たっては、連続紙に印字して印字後の連続紙を切断して発行するようなプリンタ、例えば、連続紙であるラベル用紙に所定事項を印字してラベルとラベルとの間の台紙部分を切断し台紙付きラベルとして発行するようなラベルプリンタ等に適用しても良い。
【００５１】
【発明の効果】
請求項１記載の発明によれば、一旦発行された用紙が案内経路に残留し続けることを防止することができ、したがって、一旦発行された用紙に対する固定刃と可動刃とによる再度の切断動作に伴う切り屑の発生や用紙ジャムの発生等を確実に防止することができる。また、強制排出部は、僅かな隙間を開けて連続紙を案内する狭小案内経路によって形成されているので、簡単な構造によって強制排出部を構成することができ、したがって、製造の容易化を図ることができる。
【００５４】
請求項２記載の発明は、請求項１記載のプリンタにおいて、前記狭小案内経路は、この狭小案内経路よりも下方に配置された前記固定刃と前記可動刃とのいずれか一方に形成された案内面と、この案内面に近接して対向する規制部材との間に形成されているので、既存物を利用して強制排出部を構成することができ、したがって、構造の簡略化や部品コストの低減を図ることができる。
【００５５】
請求項３記載の発明は、請求項２記載のプリンタにおいて、前記案内面と前記規制部材との間の隙間は、０．３ｍｍ〜０．９ｍｍであるので、一般的な厚さの連続紙が用いられる場合であれば、一旦発行された用紙の案内経路への逆送を防止することができる。
【００５６】
請求項４記載の発明は、請求項２又は３記載のプリンタにおいて、前記印字部の一部を構成するプラテンと、前記可動刃とを有する下部ユニットと、前記下部ユニットに回動自在に取り付けられ、回動自由端側に位置させて、前記印字部の一部を構成する印字ヘッドと、前記固定刃と、前記規制部材とを有する上部ユニットと、を具備するので、下部ユニットに対して上部ユニットを開放方向に回動させることで案内経路を開放することができ、したがって、各種のメンテナンスの容易化を図ることができる。
【００５７】
請求項５記載の発明は、請求項４記載のプリンタにおいて、前記規制部材は、前記下部ユニットに対して前記上部ユニットが回動開放された状態で前記固定刃を覆う保護位置と前記下部ユニットに対して前記上部ユニットが閉じられた状態で前記固定刃を開放する開放位置との間で回動自在に取り付けられたカッタカバーによって形成され、前記カッタカバーを前記保護位置に付勢する付勢部材と、前記下部ユニットに対して前記上部ユニットが閉じられるに従い前記カッタカバーをカム作用によって前記開放位置に回動させるカム機構と、を具備するので、保護位置に位置するカッタカバーによって固定刃を覆い、安全性を確保することができ、また、開放位置に位置するカッタカバーを規制部材として機能させることができ、したがって、カッタカバーに、固定刃を覆うカッタカバー本来の機能と規制部材としての機能とを兼ねさせることができ、部品の共通化による構造の簡略化や部品コストの低減等を図ることができる。
【００５８】
請求項６記載の発明は、請求項４又は５記載のプリンタにおいて、前記下部ユニットは、前記用紙収納部を具備するので、下部ユニットに対する上部ユニットの回動開放による用紙セット作業の容易化を図ることができ、この場合、強制排出部も、下部ユニット側の可動刃に形成された案内面と上部ユニット側の規制部材とに分割されるため、用紙セット作業の容易化に対して強制排出部の存在が妨げとならないようにすることができる。
【図面の簡単な説明】
【図１】本発明の実施の一形態を示す電子式キャッシュレジスタの斜視図である。
【図２】電子式キャッシュレジスタに内蔵されるレシート発行プリンタの上部ユニットを開放した状態を示す左方からの斜視図である。
【図３】電子式キャッシュレジスタに内蔵されるレシート発行プリンタの上部ユニットを開放した状態を示す右方からの斜視図である。
【図４】電子式キャッシュレジスタに内蔵されるレシート発行プリンタの上部ユニットを開放した状態を示す右側面図である。
【図５】電子式キャッシュレジスタに内蔵されるレシート発行プリンタの上部ユニットを閉じた状態を示す右側面図である。
【図６】カッタカバーの斜視図である。
【図７】図６とは別の角度から見たカッタカバーの斜視図である。
【図８】連続紙の切断過程を示すカッタ装置の右側面図である。
【図９】従来の一例として、連続紙の切断過程を示すカッタ装置の右側面図である。
【符号の説明】
１３      下部ユニット
１４      上部ユニット
１６      連続紙（ロール紙）
１７      用紙収納部
１８      プラテン
２１      カッタ装置
２２      可動刃
３０      印字ヘッド
３２      固定刃
３４      カッタカバー
３５      付勢部材（スプリング）
３８      カム機構
３９      案内経路
４５      案内面
４６      規制部材
４７      狭小案内経路（強制排出部）
４８      用紙（レシート）
ＣＰ      切断位置
ＯＰ      開放位置
ＰＰ      保護位置
【図１】
0003805972.tif 000002
【図２】
0003805972.tif 000003
【図３】
0003805972.tif 000004
【図４】
0003805972.tif 000005
【図５】
0003805972.tif 000006
【図６】
0003805972.tif 000007
【図７】
0003805972.tif 000008
【図８】
0003805972.tif 000009
【図９】
0003805972.tif 000010